(57)【要約】【課題】苗載せ台から苗供給装置へ苗を移動させる作業の作業能率を向上させること。【解決手段】苗載せ台（３０）の左右方向の中心部が、苗供給装置（３１）の左右方向の中心部を通過し且つ走行車体の走行方向に沿った仮想直線（Ｃ２）上に配置されることで、走行車体の左右のどちらから苗を移動させる作業を行う場合でも、苗載せ台（３０）から苗供給装置（３１）までの間隔がほぼ均等になり、苗載せ台（３０）から苗供給装置（３１）へ苗を移動させる作業の作業能率を向上させることができる。【選択図】図２
2019071796.tif 000002
【特許請求の範囲】
【請求項１】
走行車体に、苗を植え付ける植付け具（２８）と、
前記植付け具（２８）に苗を供給する苗供給装置（３１）と、
前記苗供給装置（３１）の前側に配置され、苗箱を積載可能な苗載せ台（３０）と、
を備え、
前記走行車体の走行方向に交差する左右方向に対して、前記苗載せ台（３０）の左右方向の中心部が、前記苗供給装置（３１）の左右方向の中心部を通過し且つ前記走行車体の走行方向に沿った仮想直線（Ｃ２）上に配置され、
前記苗載せ台（３０）および前記苗供給装置（３１）の左右方向の中心部は、前記走行車体の左右方向の中心部（Ｃ１）から左右のいずれか一方に偏って配置された
ことを特徴とする移植機。
【請求項２】
前記苗載せ台（３０）の縁部に配置され、苗箱（３１６）の落下を防止する落下防止体（３２７）であって、前記走行車体の走行方向に沿って移動可能な前記落下防止体（３２７）
を備え、
前記落下防止体（３２７）は、移動時に前記苗載せ台（３０）に積載された苗箱（３１６）を移動させる
ことを特徴とする請求項１に記載の移植機。
【請求項３】
前記走行車体に支持され、前記走行車体を走行させる走行部材（１４）と、
前記落下防止体（３２７）の移動方向の端部の少なくとも一方が前記走行部材（１４）の走行方向の端面に対応する位置まで移動可能な前記落下防止体（３２７）と、
を備えたことを特徴とする請求項２に記載の移植機。
【請求項４】
前記走行車体の上方に支持された主苗載せ台（３０１）と、前記主苗載せ台（３０１）の左右方向の外側に展開または左右方向の内側に収納可能な副苗載せ台（３０２）と、を有する前記苗載せ台（３０）と、
前記副苗載せ台（３０２）の左右方向の外側および走行方向の両側に配置され、苗箱（３１６）の落下を防止する落下防止体（３２３，３２７）と、
を備えたことを特徴とする請求項１ないし３のいずれかに記載の移植機。
【請求項５】
前記副苗載せ台（３０２）を前記主苗載せ台（３０１）の外側に移動させた場合に、前記主苗載せ台（３０１）の上面の高さと前記副苗載せ台（３０２）との上面の高さが一致するように設定され、
前記主苗載せ台（３０１）と前記副苗載せ台（３０２）の前後方向の端部のうち少なくとも一方の高さが苗供給装置（３１）の高さに対応するように設定された
ことを特徴とする請求項４に記載の移植機。
【請求項６】
前記苗載せ台（３０）の縁部に配置され、苗箱の落下を防止する落下防止体（３２３，４１６，４１７）であって、前記左右方向に沿って移動可能な前記落下防止体（３２３，４１６，４１７）、
を備え、
前記落下防止体（３２３，４１６，４１７）は、移動時に前記苗載せ台（３０）に積載された苗箱（３１６）を移動させる
ことを特徴とする請求項１に記載の移植機。
【請求項７】
前記走行車体の左右に支持され、前記走行車体を走行させる走行部材（１４）と、
前記落下防止体（３２３，４１６，４１７）の移動方向の端部の少なくとも一方が、左右の前記走行部材（１４）の外端と同一または外端よりも内側の位置まで移動可能な前記落下防止体（３２３，４１６，４１７）と、
を備えたことを特徴とする請求項６に記載の移植機。
【発明の詳細な説明】
【技術分野】
【０００１】
本発明は、圃場に苗を移植する移植機に関する。
【背景技術】
【０００２】
圃場に苗を移植する移植機に関して、特許文献１に記載の移植機が従来公知である。
特許文献１（特許第６０４７９６６号公報）には、圃場に苗を移植する苗移植機において、苗植付具に苗を供給する苗供給テーブルを備えると共に、苗供給テーブルに供給される苗を、走行車体上の板状の苗載せ台に積載する構成が記載されている。
【先行技術文献】
【特許文献】
【０００３】
【特許文献１】特許第６０４７９６６号公報（「００５１」、「０２７５」−「０２８８」、図１、図４０）
【発明の概要】
【発明が解決しようとする課題】
【０００４】
特許文献１に記載のような従来の構成では、苗載せ台の左右中心部が走行車体の左右中心部を基準に設けられている。しかし、苗供給テーブルの左右の中心は、苗供給テーブルの駆動系の関係で、走行車体の左右の中心部に一致させることができず、左右方向のいずれかに偏った位置に配置される。したがって、苗載せ台の左右中心部と苗供給テーブルの左右中心部とが一致していない。よって、苗供給テーブルの左側と右側では、苗載せ台の外側端部までの距離が異なっている。これにより、一方では作業者の作業スペースが広いものの、苗載せ台の外側端部から苗供給テーブルまでの距離が長く、苗が取りにくくなり作業能率が低下する問題がある。また、他方では作業者の作業スペースが狭く、作業姿勢が制限される問題がある。
圃場の状態や作物の品種、作業者の利き手等の条件により、作業者は供給テーブルの左右いずれの側でも作業する可能性があるが、従来構成では、左右で作業能率に差が生じることになる。
【０００５】
また、苗載せ台には複数の苗場子を積載して作業を行うことが一般的であるが、左右中央付近の苗場子は作業者が苗を取り出しやすい位置に移動させる必要がある。このとき、苗箱の位置によっては作業者は苗載せ台に近づいて苗箱を移動させる必要があり、その際苗の植え付け作業を一旦停止する必要があるので、作業能率が低下する問題が生じる。
さらに、苗載せ台が他の部材と干渉することを防止すべく、走行車体から情報に大きく離間する位置に苗載せ台を設けているが、作業者は高い位置から低い位置に苗を移動させる必要がある。従って、苗の移動距離がさらに長くなり、作業能率が低下する問題がある。
【０００６】
本発明の課題は、苗載せ台から苗供給装置へ苗を移動させる作業の作業能率を向上させることである。
【課題を解決するための手段】
【０００７】
本発明の上記課題は、次の解決手段により解決される。
すなわち、請求項１に記載の発明は、走行車体に、苗を植え付ける植付け具（２８）と、  前記植付け具（２８）に苗を供給する苗供給装置（３１）と、前記苗供給装置（３１）の前側に配置され、苗箱を積載可能な苗載せ台（３０）とを備え、前記走行車体の走行方向に交差する左右方向に対して、前記苗載せ台（３０）の左右方向の中心部が、前記苗供給装置（３１）の左右方向の中心部を通過し且つ前記走行車体の走行方向に沿った仮想直線（Ｃ２）上に配置され、前記苗載せ台（３０）および前記苗供給装置（３１）の左右方向の中心部は、前記走行車体の左右方向の中心部（Ｃ１）から左右のいずれか一方に偏って配置されたことを特徴とする移植機である。
【０００８】
請求項２に記載の発明は、前記苗載せ台（３０）の縁部に配置され、苗箱（３１６）の落下を防止する落下防止体（３２７）であって、前記走行車体の走行方向に沿って移動可能な前記落下防止体（３２７）を備え、前記落下防止体（３２７）は、移動時に前記苗載せ台（３０）に積載された苗箱（３１６）を移動させることを特徴とする請求項１に記載の移植機である。
【０００９】
請求項３に記載の発明は、前記走行車体に支持され、前記走行車体を走行させる走行部材（１４）と、前記落下防止体（３２７）の移動方向の端部の少なくとも一方が前記走行部材（１４）の走行方向の端面に対応する位置まで移動可能な前記落下防止体（３２７）と、を備えたことを特徴とする請求項２に記載の移植機である。
【００１０】
請求項４に記載の発明は、前記走行車体の上方に支持された主苗載せ台（３０１）と、前記主苗載せ台（３０１）の左右方向の外側に展開または左右方向の内側に収納可能な副苗載せ台（３０２）と、を有する前記苗載せ台（３０）と、前記副苗載せ台（３０２）の左右方向の外側および走行方向の両側に配置され、苗箱（３１６）の落下を防止する落下防止体（３２３，３２７）と、を備えたことを特徴とする請求項１ないし３のいずれかに記載の移植機である。
【００１１】
請求項５に記載の発明は、前記副苗載せ台（３０２）を前記主苗載せ台（３０１）の外側に移動させた場合に、前記主苗載せ台（３０１）の上面の高さと前記副苗載せ台（３０２）との上面の高さが一致するように設定され、前記主苗載せ台（３０１）と前記副苗載せ台（３０２）の前後方向の端部のうち少なくとも一方の高さが苗供給装置（３１）の高さに対応するように設定されたことを特徴とする請求項４に記載の移植機である。
【００１２】
請求項６に記載の発明は、前記苗載せ台（３０）の縁部に配置され、苗箱の落下を防止する落下防止体（３２３，４１６，４１７）であって、前記左右方向に沿って移動可能な前記落下防止体（３２３，４１６，４１７）を備え、前記落下防止体（３２３，４１６，４１７）は、移動時に前記苗載せ台（３０）に積載された苗箱（３１６）を移動させることを特徴とする請求項１に記載の移植機である。
【００１３】
請求項７に記載の発明は、前記走行車体の左右に支持され、前記走行車体を走行させる走行部材（１４）と、前記落下防止体（３２３，４１６，４１７）の移動方向の端部の少なくとも一方が、左右の前記走行部材（１４）の外端と同一または外端よりも内側の位置まで移動可能な前記落下防止体（３２３，４１６，４１７）と、を備えたことを特徴とする請求項６に記載の移植機である。
【発明の効果】
【００１４】
請求項１記載の発明によれば、苗載せ台（３０）の左右方向の中心部が、苗供給装置（３１）の左右方向の中心部を通過し且つ前記走行車体の走行方向に沿った仮想直線（Ｃ２）上に配置されることで、走行車体の左右のどちらから苗を移動させる作業を行う場合でも、苗載せ台から苗供給装置までの間隔がほぼ均等になり、苗載せ台から苗供給装置へ苗を移動させる作業の作業能率を向上させることができる。
【００１５】
請求項２記載の発明によれば、請求項１に記載の発明の効果に加えて、落下防止体（３２７）の移動に連動して、積載された苗箱（３１６）を走行方向（前後方向）に移動させることができ、苗箱（３１６）を苗供給装置（３１）に近づけることができるので、苗の供給作業をより効率的におこなうことができる。
【００１６】
請求項３記載の発明によれば、請求項２に記載の発明の効果に加えて、落下防止体（３２７）の移動方向の端部の少なくとも一方が走行部材（１４）の走行方向の端面に対応する位置まで移動することで、苗を移動させる作業を行う際に、身を乗り出したり、手前に来過ぎた落下防止体（３２７）が作業の妨げになったりしにくく、作業能率の低下が防止される。
【００１７】
請求項４記載の発明によれば、請求項１ないし３のいずれか１項に記載の発明の効果に加えて、副苗載せ台（３０２）の左右方向の外側への移動に連動して苗箱（３１６）が移動することで、苗の供給作業が行いやすくなる。また、副苗載せ台（３０２）を収納することで、苗載せ台（３０）の機体外側への突出量が低減され、左右幅をコンパクトにすることができる。したがって、移植機の保管時や、移動時に苗載せ台（３０）が周囲と接触して破損することが低減される。
【００１８】
請求項５記載の発明によれば、請求項４に記載の発明の効果に加えて、主苗載せ台（３０１）の上面の高さと副苗載せ台（３０２）との上面の高さが一致することで、主苗載せ台（３０１）と副苗載せ台（３０２）との間で苗箱（３１６）を容易に移動させることができ、作業能率が向上する。また、苗載せ台（３０）の上面の高さが苗供給装置（３１）の高さに対応することで、取り出された苗の移動距離をさらに短くすることができ、作業能率を向上させることができる。
【００１９】
請求項６記載の発明によれば、請求項１に記載の発明の効果に加えて、落下防止体（３２３，４１６，４１７）の移動に伴って苗箱（３１６）を左右方向に移動させることで、積載された苗箱（３１６）を左右方向に移動させることができ、苗箱（３１６）を作業者に近づけることができるので、苗の供給作業をより効率的におこなうことができる。
【００２０】
請求項７記載の発明によれば、請求項６に記載の発明の効果に加えて、落下防止体（３２３，４１６，４１７）の移動方向の端部の少なくとも一方が走行部材（１４）の端面に対応する位置まで移動することで、苗を移動させる作業を行う際に、身を乗り出したり、手前に来過ぎた落下防止体（３２３，４１６，４１７）が作業の妨げになったりしにくく、作業能率の低下が防止される。
【図面の簡単な説明】
【００２１】
【図１】本実施形態の作業車両の側面図である。
【図２】本実施形態の作業車両の平面図である。
【図３】本実施形態の苗供給装置の説明図であり、図３（Ａ）は、苗供給部を下から見た底面図であり、図３（Ｂ）は、苗供給部を上から見た一部透視上面図である。
【図４】苗供給部の取り付け構造を説明する側断面図であり、供給回転台の回転中心を通る断面を示している。
【図５】本実施形態の苗載せ台の説明図であり、図５（Ａ）は平面図、図５（Ｂ）は図５（Ａ）の矢印ＶＢ方向から見た図、図５（Ｃ）は主苗載せ台と副苗載せ台との連結部分の説明図、図５（Ｄ）は落下防止体の移動機構の説明図である。
【図６】本実施形態のスライドフレームが移動する前後の場合の説明図であり、図６（Ａ）はスライドフレームが前後方向中央部に位置する場合の説明図、図６（Ｂ）はスライドフレームが図６（Ａ）に示す標準位置から後方の後スライド位置に移動した状態の説明図である。
【図７】他の実施形態の説明図である。
【図８】さらに他の実施形態の説明図であり、図１に対応する図である。
【図９】図８に示す形態の平面図であり、図２に対応する図である。
【図１０】図８に示す形態の予備苗載置台の説明図であり、図５に対応する図である。
【図１１】本実施形態のエンジンの操作部材の説明図であり、苗移植機の平面図である。
【発明を実施するための形態】
【００２２】
以下、図面に基づき、本発明の好ましい実施の形態について説明する。
（移植機）
図１は本実施形態の作業車両の側面図である。
図２は本実施形態の作業車両の平面図である。
図１、図２において、本実施形態の作業車両の一例としてであって移植機の一例としての苗移植機１０は、前部に原動機となるエンジン１１および主伝動ケース１２と、走行車輪（走行部材）としての左右一対の前輪１３および後輪１４と、後部に植付装置１９、苗等の移植対象物の供給部となる苗供給部３１、鎮圧輪１５および操縦ハンドル（ハンドル）１６とを備えて構成されている。なお、後輪１４は、走行推進体である。
【００２３】
この苗移植機１０は、走行機体が圃場内の畝Ｕを跨ぐべく、前輪１３および後輪１４が畝間を走行し、畝Ｕの上面の左右幅方向における中央位置に植付装置１９により苗株を植え付けていく構成となっている。
【００２４】
また、図２に示す通り、主伝動ケース１２の左右端には該主伝動ケース１２に対して回動可能な走行エクステンションケース４０を左右それぞれ設け、左右の走行エクステンションケース４０のそれぞれの端部に走行チェーンケース２０を取り付けている。したがって、エンジン１１から入力される主伝動ケース１２内の動力を走行チェーンケース２０内に伝動する構成となっている。
【００２５】
走行チェーンケース２０の回動先端部の左右外側には、走行車輪である左右一対の後輪１４をそれぞれ取り付け、この左右一対の後輪１４の駆動により機体が走行する構成となっている。したがって、主伝動ケース１２は、走行車輪としての後輪１４に伝動する伝動装置となっている。
【００２６】
一方、エンジン載置台１９１の下部には左右方向に延びる前輪支持フレーム４１を前後方向のローリング軸１８（図１参照）回りに回動可能に設け、この前輪支持フレーム４１の左右両端部に前輪１３を取り付けた構成としている。
【００２７】
また、図２に示す通り、主伝動ケース１２の後端には左右方向に延びる後フレーム２１を固着して設け、後フレーム２１の後端面の右端部には、機体の右寄りの位置で前後方向に延びる主フレーム２２を設けている。主フレーム２２の後端部には操縦ハンドル１６を設け、この操縦ハンドル１６が主フレーム２２および後フレーム２１を介して主伝動ケース１２に支持された構成となっている。後フレーム２１の左右一方寄り（右寄り）の位置の上面には、植付伝動ケース２６の前下端部を載せて該植付伝動ケース２６を固着して設けている。
【００２８】
また、主伝動ケース１２の後部で左右方向の中央には、昇降装置となる油圧昇降シリンダ２３を設けている。この油圧昇降シリンダ２３は、主伝動ケース１２に取り付けられた昇降切替部となる油圧切替バルブ部２４（図１参照）に固着して設けられ、主伝動ケース１２に取り付けられた油圧ポンプからの油路を油圧切替バルブ部２４で切り替えることにより作動する。
【００２９】
また、油圧昇降シリンダ２３のシリンダロッドの後端には左右に延びる横杆４３を設け、この横杆４３の左右端部にそれぞれロッドとなる左側後輪昇降ロッド４４および右側後輪昇降ロッド４５を連結し、左側後輪昇降ロッド４４および右側後輪昇降ロッド４５の他端をそれぞれの走行エクステンションケース４０に取り付けられた上側アーム４０ａに枢着して、横杆４３と走行エクステンションケース４０とが連結された構成となっている。
【００３０】
したがって、油圧昇降シリンダ２３の伸縮により横杆４３、左側後輪昇降ロッド４４および右側後輪昇降ロッド４５を介して主伝動ケース１２の左右の出力軸回りに走行チェーンケース２０を回動し、該走行チェーンケース２０の回動により後輪１４が上下して走行機体が昇降する構成となっている。なお、油圧昇降シリンダ２３のシリンダロッド、横杆４３、左側後輪昇降ロッド４４および右側後輪昇降ロッド４５は、シリンダロッドの進出位置によっては、機体側面視で後述する昇降リンク機構２９の下方に位置する構成となっており、スペースを有効利用して機体のコンパクト化を図っている。
【００３１】
また、機体中央部の下方位置で植付装置１９の植付け具２８が苗株を畝Ｕに植え付ける位置の直前の位置には、周知の畝Ｕ上面に接当して畝Ｕ上面の高さを検出する接地体となる左側接地位置検出体３６および右側接地位置検出体３７が設けられており、左側接地位置検出体３６および右側接地位置検出体３７の畝Ｕ検出により油圧切替バルブ部２４に備えられた昇降制御用切替バルブを介して油圧昇降シリンダ２３を作動させて左右後輪１４を昇降制御して、走行機体を畝Ｕに対する所定の高さに制御して植付け具２８が苗株を畝Ｕに植え付ける深さが一定になる構成としている。
【００３２】
また、左側後輪昇降ロッド４４が伸縮するべく該左側後輪昇降ロッド４４の中途部に油圧ポンプからの油圧により作動する左右傾斜用油圧シリンダ２５を設けており、該左右傾斜用油圧シリンダ２５の伸縮により右側の後輪１４の上下位置に対して左側の後輪１４を上下させて、畝Ｕの谷部の凹凸に関係なく走行機体を所望の左右傾斜姿勢に制御する構成となっている。
【００３３】
なお、主伝動ケース１２の右側には振り子式の左右傾斜センサー４２が設けられて、この左右傾斜センサー４２の検出により油圧切替バルブ部２４に備えられた左右傾斜用切替バルブを介して左右傾斜用油圧シリンダ２５を作動させ、走行機体を所望の左右傾斜姿勢に制御する構成となっている。
【００３４】
本実施の形態の植付装置１９は、苗株を１個ずつ圃場の畝に植え付けるべく、主伝動ケース１２内からの動力が主伝動ケース１２の後側に設けた植付伝動ケース２６と、その植付伝動ケース２６に取り付けられた植付装置駆動ケース２７を介して伝達され作動する構成となっている。
【００３５】
植付装置１９は、先端が尖ったカップ状の植付け具２８と該植付け具２８を昇降させるべく作動する昇降リンク機構２９とで構成される。植付け具２８の先端は、植付け具２８の昇降動作によって、図１に示す通り、前側で下降し後側で上昇するとともに、前後方向の幅が上部よりも下部の方が大きい形状の軌跡（静軌跡：機体の走行が停止していると仮定したときの作動軌跡）１７を描いて図中の矢印方向に繰り返し作動する。
【００３６】
また、植付け具２８によって苗株を植え付ける際に、植え付けた苗株の周囲に浅い凹み状の穴を圃場に形成する作穴体１１０を備えている。作穴体１１０を一端に支持する作穴支持フレーム１１１が、作穴体１１０が上下に移動するべく、他端が主フレーム２２に回動自在に取り付けられている。これらの作穴体１１０及び作穴支持フレーム１１１を備えて作穴装置が構成されている。
【００３７】
また、作穴支持フレーム１１１の途中部分には、作穴体ロッド１１２が連結されており、作穴体ロッド１１２が上下に移動することにより、作穴支持フレーム１１１が上下動され、作穴体１１０の上下動が制御される構成となっている。
【００３８】
図３は本実施形態の苗供給装置の説明図であり、図３（Ａ）は、苗供給部を下から見た底面図であり、図３（Ｂ）は、苗供給部を上から見た一部透視上面図である。
図４は苗供給部の取り付け構造を説明する側断面図であり、供給回転台の回転中心を通る断面を示している。
【００３９】
図２において、苗供給装置の一例としての苗供給部３１は、回転台駆動ケース３８からの動力が回転力伝達部材７７によって伝達され、作動する。
図３、図４において、苗供給部３１は、植付装置１９の上方に設けられた、上端と下端に開口を有する供給カップ３３を８つ貫通させてループ状に固定配置した回転可能な供給回転台３２と、略Ｃ字型の供給カップ開閉ガイド３５と、供給回転台３２を反時計回りに回転させる回転駆動機構７８等を備えている。
【００４０】
供給回転台３２は、図４に示す通り、外周縁部が下方に曲げられた盆状部材であって、
その円形平面部の外周寄りに等間隔に開けられた８つの孔に、両端が開放された略筒状の供給カップ３３がそれぞれ貫通固定されている。また、供給回転台３２の中央部には、回転駆動機構７８からの回転力により供給回転台３２を反時計回りに回転させる回転軸が固定配置されている。
【００４１】
回転駆動機構７８は、機体に固定された支柱３９に固定されるとともに、補助プレート７９に固定されている。補助プレート７９は、主フレーム２２に固定された補助プレート支持板１３２を介して主フレーム２２に固定されている。
【００４２】
そして、図３（Ａ）に示す通り、各供給カップ３３の底部には、上下方向に可動する開閉蓋３４が、それぞれ１つずつ設けられている。
また、図３（Ａ）に示す通り、各供給カップ３３の下方には、供給回転台３２の矢印Ａ方向への回転により供給カップ３３が、植付け具２８の上方の位置である所定位置Ｐに来たときにのみ供給カップ３３の底部の開閉蓋３４が開くべく、環状の一部を切り欠いた略Ｃ字型の供給カップ開閉ガイド３５が、支柱３９に固定されている。なお、供給カップ開閉ガイド３５は、前記所定位置Ｐ以外の位置で、開閉蓋３４を下側から接触して支えて開閉蓋３４が開くのを規制する。
【００４３】
本実施の形態の苗移植機１０は、その機体の走行と共に歩行する作業者が、予備苗載置台３０にある苗株を１つずつ手で掴んで、機体の走行にあわせて矢印Ａ方向に回転している供給カップ３３に、それぞれ入れていく。なお、苗は、例えば、たばこの葉やレタス等、任意の作物の苗を使用可能である。
【００４４】
供給カップ３３の開閉蓋３４が、前記所定位置Ｐで開くと、供給カップ３３内の苗株が下方の植付け具２８に供給される。植付け具２８は、図１に示す作動の軌跡１７の下死点に来た時に土中に所定深さまで突入するとともに鳥の嘴の如く左右に開いて、内部に保持されていた苗株を落下して植え付ける。
【００４５】
操縦ハンドル１６の左右中間位置には、機体後方に向けて延びる植付クラッチレバー１６１が設けられている。植付クラッチレバー１６１を入切する操作に応じて、植付け具２８への伝動が入り切りされる。
なお、植付け具２８の詳細や伝動機構、伝動の入切の機構については、例えば、特許第６０４７９６６号公報等に記載されており、従来公知であるため、詳細な説明は省略する。
【００４６】
左右前輪１３および左右後輪１４が跨いで走行する畝Ｕに前記植付け具２８にて苗株を植え付けて苗移植作業を行うが、畝案内機構１６０は機体の前部に設けられ、該畝Ｕの左右面に各々左右ガイドローラーが接触して、機体が畝Ｕに沿って走行するべく案内する。
【００４７】
そして、エンジン１１および主伝動ケース１２の上方を覆う機体カバー２２４を設けている。なお、該機体カバー２２４の後部２２４ａを植付伝動ケース２６に突入させて配置している。機体カバー２２４には、植付伝動ケース２６の左右一方側（左側）で植付伝動ケース２６よりも後側に延ばした延長部２２４ｂを形成し、該延長部２２４ｂを昇降リンク機構２９の前部の上方に配置している。
【００４８】
（苗載せ台の説明）
図１、図２において、苗供給部３１の前方には、苗載せ台の一例としての予備苗載置台３０が配置されている。予備苗載置台３０は、左右に離間して配置された左右一対の予備苗台支柱１３５と、予備苗支持補強板１３６とによって、機体に取り付けられている。機体フレームには、左右方向に延びる棒状の予備苗支柱支持フレーム１３７が固定されており、予備苗台支柱１３５は予備苗支柱支持フレーム１３７に連結されている。
なお、予備苗支柱支持フレーム１３７が支持される機体フレームには、凹部状の資材収容部１３８が形成されている。予備苗載置台３０の下方の資材収容部１３８には、工具や、機体の前後バランスを調整するための荷重ウェイト等の資材を収容可能である。
【００４９】
図５は本実施形態の苗載せ台の説明図であり、図５（Ａ）は平面図、図５（Ｂ）は図５（Ａ）の矢印ＶＢ方向から見た図、図５（Ｃ）は主苗載せ台と副苗載せ台との連結部分の説明図、図５（Ｄ）は落下防止体の移動機構の説明図である。
図２、図５において、本実施形態の予備苗載置台３０は、左右方向の中央部に配置された主苗載せ台３０１と、左右方向の外側に配置された副苗載せ台３０２とを有する。
【００５０】
主苗載せ台３０１は、前後方向に延びる左右一対の縦フレーム３１１を有する。縦フレーム３１１は、前記予備苗台支柱１３５および予備苗支持補強板１３６の上端で支持されている。縦フレーム３１１には、左右方向に延びる前後一対の横フレーム３１２が支持されている。縦フレーム３１１の前後両端には、落下防止体の一例としての落下防止柵３１３が支持されている。落下防止柵３１３は、主苗載せ台３０１に苗箱３１６が載せられた状態において、機体の走行や走行中の振動等で苗箱３１６が落下しそうになっても、苗箱３１６の縁に接触して、苗箱３１６の主苗載せ台３０１からの落下を防止する。
本実施形態の主苗載せ台３０１は、前後方向の落下防止柵３１３どうしの幅が苗箱３１６の１つ分の長さに対応して設定されている。また、主苗載せ台３０１は、横フレーム３１２の長さが、苗箱３１６の２つ分の長さに対応して設定されている。なお、予備苗載置台３０は、苗を移動した後の空箱を積載しておくことにも使用可能であり、空箱は重ねて積載しても、１枚ずつ並べた状態とすることも可能である。
【００５１】
さらに、本実施形態の主苗載せ台３０１は、供給回転台３２の回転中心を通過する仮想線Ｃ２を中心として左右対称に配置されている。すなわち、従来構成の予備苗載置台３０は、機体の中央、すなわち、前輪１３どうし（または後輪１４どうし）の中央を通過する仮想線Ｃ１を中心として左右対称に配置されていたが、本実施形態では、供給回転台３２の回転中心を中心とする仮想線Ｃ２を中心として左右対称に配置されている。
したがって、本実施形態の予備苗載置台３０は、仮想線Ｃ２を中心として左右対称に配置されており、供給回転台３２の左右で作業スペースが均等になる。仮想線Ｃ１に対して対称に配置されている従来構成のように、左右で作業スペースに偏りがあって、一方では供給回転台３２までの距離が長くなって作業能率が低下する場合に比べて、本実施形態では、左右のどちらから苗箱３１６から供給回転台３２に苗を移動させる作業を行っても、作業性を確保可能であり、作業能率が向上する。
【００５２】
図１において、本実施形態の主苗載せ台３０１では、主苗載せ台３０１の後端の高さが、苗供給部３１の高さに対応するように設定されている。具体的には、本実施形態では、主苗載せ台３０１の縦フレーム３１１の後端の上面の高さが、供給回転台３２の供給カップ３３の上端の高さに対応する高さに設定されている。
【００５３】
図５において、副苗載せ台３０２は、左右方向に延びるパイプ状の回転フレーム３２１を有する。回転フレーム３２１は、前後に間隔を空けて一対配置されている。図５（Ｃ）において、回転フレーム３２１の内端は、横フレーム３１２の外端に対して、連結部材の一例としてのヒンジ３２２により回転可能に連結されている。したがって、副苗載せ台３０２は、主苗載せ台３０１に対して、図５（Ｂ）の実線で示すように、左右方向の外側に向けて展開した状態と、図５（Ｂ）の破線で示すように、左右方向の内側に収納された状態との間で移動可能に支持されている。したがって、苗の植え付け作業時には、展開して多くの苗箱３１６を積載することができ、作業を行っていない状態では収納して左右幅をコンパクト化することが可能である。よって、倉庫での保管に場所を取らず、路上走行時等の移動時に予備苗載置台３０が周囲に接触して破損することが防止される。
【００５４】
図５（Ｂ）、図５（Ｃ）において、本実施形態では、展開した状態において、主苗載せ台３０１の横フレーム３１２と、副苗載せ台３０２の回転フレーム３２１とは、上面が面一（フラット）になるように設定されている。したがって、主苗載せ台３０１に積載された苗箱３１６を左右方向外側に滑らせて副苗載せ台３０２に移動させたり、副苗載せ台３０２から主苗載せ台３０１に苗箱３１６を滑らせて移動させることが容易に可能である。
回転フレーム３２１の左右方向外端には、落下防止体の一例としての落下防止柵３２３が支持されている。
【００５５】
回転フレーム３２１の下面には、案内部材の一例としてのガイドボス３２４が左右一対配置されている。ガイドボス３２４には、前後方向に延びるスライドフレーム３２６が支持されている。本実施形態のスライドフレーム３２６は、ガイドボス３２４を前後方向に貫通して支持されており、ガイドボス３２４に沿って前後方向に移動可能に支持されている。スライドフレーム３２６は左右一対配置されている。
【００５６】
各スライドフレーム３２６の前後両端には、落下防止体の一例としての落下防止柵３２７がスライドフレーム３２６どうしを連結するように支持されている。したがって、落下防止柵３２７もスライドフレーム３２６の移動に伴って前後方向に移動可能に構成されている。
なお、本実施形態の副苗載せ台３０２は、一例として、苗箱３１６が１つ積載出来るように、落下防止柵３２３，３２７の位置や、各フレーム３２１，３２６の長さが設定されている。
【００５７】
図６は本実施形態のスライドフレームが移動する前後の場合の説明図であり、図６（Ａ）はスライドフレームが前後方向中央部に位置する場合の説明図、図６（Ｂ）はスライドフレームが図６（Ａ）に示す標準位置から後方の後スライド位置に移動した状態の説明図である。
図６において、副苗載せ台３０２に苗箱３１６が載せられた状態（図６（Ａ））で、作業者が苗箱３１６から供給回転台３２の供給カップ３３に苗を移動させる場合に、後側の落下防止柵３２７（ｂ）を持って、スライドフレーム３２６を後方に向けて移動させると、図６（Ｂ）に示すように、前側の落下防止柵３２７（ａ）が苗箱３１６を押して、苗箱３１６が後方に移動する。したがって、図６（Ｂ）に示す後スライド位置では、苗箱３１６が図６（Ａ）に示す標準位置よりも、さらに供給回転台３２に近づき、苗を移動させる作業がし易くなる。
【００５８】
特に、本実施形態では、スライドフレーム３２６が回転フレーム３２１の下方に支持されており、スライドフレーム３２６の上面と回転フレーム３２１の上面との間に段差が発生している。したがって、スライドフレーム３２６が後方に移動すると、図６（Ｂ）に示すように、苗箱３１６が傾斜する。したがって、予備苗載置台３０の後方の供給回転台３２に対して上面が向くこととなり、機体後側から苗が取り出しやすくなっている。よって、苗を苗箱３１６から供給回転台３２に移動させる作業の作業性が向上する。
【００５９】
図１において、本実施形態の予備苗載置台３０では、副苗載せ台３０２は、機体の前後摺動方向において、機体後方に最大限移動させたとき、その後端部の落下防止柵３２７（ｂ）が後輪１４の後端にほぼ一致する位置に設定されている。作業者が作業する際に、予備苗載置台３０に近づく際に、後輪１４の位置まで近づくことが可能である。
前記副苗載せ台３０２を最大限機体後方へ移動させたとき、後端部の落下防止柵３２７（ｂ）が後輪１４の後端面よりも機体後側に突出しない構成としたことにより、作業者が副苗載せ台３０２に接近する際、後輪１４の後方位置に、安全に最大限接近することができる。
【００６０】
副苗載せ台３０２から苗を取り出すとき、落下防止柵３２７（ｂ）が後輪１４の後端面よりも機体前側寄りに位置していると、後輪１４の上方に作業者の腕や体の一部が位置することになる。このとき後輪１４が駆動回転していると、後輪１４が跳ね上げる土に作業者が晒され、作業能率が低下することがある。また、駆動回転中の後輪１４に作業者の身体が接触することは非常に危険であり、作業者が後輪１４に接近し辛く、副苗載せ台３０２から苗の取り出しをスムーズに行えないことがある。
一方、本願構成のとおり、副苗載せ台３０２を機体後方に最大限移動させると、落下防止柵３２７（ｂ）が後輪１４の後端面の直上に位置することにより、作業者は後輪１４の上方に身体を乗り出させる必要がなくなり、飛散する土に晒されることや、後輪１４と接触することが防止される。これにより、作業能率の低下が防止されると共に、作業の安全性が確保される。
【００６１】
図７は他の実施形態の説明図である。
図５に示す実施形態では、副苗載せ台３０２が主苗載せ台３０１に対して回転して展開、収納される構成を例示したが、これに限定されない。例えば、ヒンジ３２２に変えて、図７に示すように、主苗載せ台３０１の横フレーム３１２に設けられたスライドボス３３１に対して、副苗載せ台の回転フレーム３２１を左右方向にスライド移動可能に構成することも可能である。
【００６２】
なお、図７に示す形態では、副苗載せ台３０２が収納された状態では、後輪１４の左右方向の外端に対して、副苗載せ台３０２の外端である落下防止柵３２３が同一または内側に移動するように、収納位置が設定されている。
また、図７に示す形態において、使用開始時には副苗載せ台３０２を収納状態としておいて苗箱３１６を積載し、苗を苗供給部３１に移動させる際に、副苗載せ台３０２を左右方向外側に引き出して、副苗載せ台３０２と共に苗箱３１６を左右方向の外側に移動させることも可能である。
【００６３】
副苗載せ台３０２を主苗載せ台３０１側、即ち機体内側方向にスライド移動させると、副苗載せ台３０２の外側端部に設ける落下防止柵３２３が後輪１４の左右外側端部の直上、または左右外側端部よりも機体内側に位置することにより、副苗載せ台３０２を収納して移動する非作業時に副苗載せ台３０２が機体左右両外側に突出していない状態とすることができるので、副苗載せ台３０２が移動中に何かと接触して変形、破損することが防止される。
特に、機体を収納する倉庫等、周囲に様々な物品が載置されている環境下では、機体の左右幅を抑えることにより、周辺の物品との接触を気にせず収納位置に移動させやすくなるので、収納作業に要する時間の短縮が図られると共に、収納位置のスペースを余分に確保する必要がなくなる。
【００６４】
図８はさらに他の実施形態の説明図であり、図１に対応する図である。
図９は図８に示す形態の平面図であり、図２に対応する図である。
図１０は図８に示す形態の予備苗載置台の説明図であり、図５に対応する図である。
図８〜図１０に示す形態の苗移植機１０では、予備苗載置台３０は、前側の前載せ台４０１と、後側の後載せ台４０２とを有する。なお、前載せ台４０１および後載せ台４０２も、仮想線Ｃ２を中心として左右対称に配置されている。前載せ台４０１は、前後一対の横フレーム４１１を有する。横フレーム４１１は、予備苗台支柱１３５および予備苗支持補強板１３６に支持されている。横フレーム４１１の上面には、スライドプレート４１２が配置されている。なお、図８〜図１０では、板状のスライドプレート４１２を例示したが、図５に示すように、パイプを組み合わせた形態を適用することも可能である。逆に、図５に示す形態においてプレートを使用することも可能である。
【００６５】
スライドプレート４１２の上面には、苗箱３１６が積載可能に構成されている。
スライドプレート４１２の下面には、スライドボス４１３が支持されている。スライドボス４１３は、横フレーム４１１に沿って左右方向に移動可能に支持されている。なお、本形態では、スライドプレート４１２の左右方向の位置は、収納状態では、後輪１４の左右方向の外端と同一または内側とすることで倉庫での保管時にコンパクトになり、展開状態では、後輪１４の左右方向の外端よりも外側に移動することで、苗の移動作業が容易になる。
スライドプレート４１２には、前後両端部と左右方向の外側に、落下防止体の一例としての落下防止柵４１４が支持されている。
【００６６】
左側のスライドプレート４１２（ａ）の内端（右端）には、落下防止体の一例として、燃料キャップ置き台４１６が支持されている。燃料キャップ置き台４１６は、苗移植機１０の燃料タンクに給油を行う際に、燃料キャップ置き台４１６の下方の給油口を開けた際に給油口を塞いでいた燃料キャップを置くための台である。燃料キャップ置き台４１６は、上端の高さが、スライドプレート４１２の上面の高さよりも高く設定されている。したがって、スライドプレート４１２の上面に積載された苗箱３１６が左右方向の内側に移動しようとしても、燃料キャップ置き台４１６に引っ掛かって、内側への落下が防止される。
【００６７】
右側のスライドプレート４１２（ｂ）の内端（左端）には、落下防止体の一例として、ホース固定クリップ４１７が支持されている。ホース固定クリップ４１７は、苗移植機１０の燃料タンクに給油を行う際に、燃料の携行缶等から給油をするための燃料ホースを、使用しない間、固定しておくための部材である。ホース固定クリップ４１７は、上端の高さが、スライドプレート４１２の上面の高さよりも高く設定されている。したがって、スライドプレート４１２の上面に積載された苗箱３１６が左右方向の内側に移動しようとしても、ホース固定クリップ４１７に引っ掛かって、内側への落下が防止される。
したがって、図８〜図１０に示す形態では、スライドプレート４１２の左右方向の内端には、落下防止柵を設けていない。よって、左右のスライドプレート４１２を仕切るような部材（落下防止柵）がなく、左右のスライドプレート４１２の間で苗箱３１６を移動させたい場合に、容易に移動させることが出来る。
【００６８】
後載せ台４０２は、左右一対の回転プレート４２１を有する。回転プレート４２１は、予備苗台支柱１３５に対して回転アーム４２２を介して支持されている。回転アーム４２２は、予備苗台支柱１３５を中心として回転可能に支持されている。よって、回転プレート４２１は、図９に示す展開状態と、回転プレート４２１がスライドプレート４１２の下方に収納された収納状態との間で移動可能に構成されている。
したがって、苗移植機１０が倉庫等で保管される際には、回転プレート４２１を収納状態とし、スライドプレート４１２も内側に収納することで、機体の左右方向の幅をコンパクト化することが可能である。
【００６９】
回転プレート４２１は、上面に苗箱３１６が積載可能に構成されている。また、回転プレート４２１の上面の高さは、供給カップ３３の上端の高さに対応する高さに設定されている。
また、回転プレート４２１の左右両端には、落下防止体の一例としての固定クリップ４２３が支持されている。固定クリップ４２３は、苗箱３１６の左右両端部を挟むクリップ状に構成されており、苗箱３１６が後載せ台４０２から脱落しないように構成されている。
【００７０】
図１１は本実施形態のエンジンの操作部材の説明図であり、苗移植機の平面図である。
図１１において、本実施形態では、操縦ハンドル１６の右部には、エンジンの回転数を制御する第１スロットルレバー５０１が支持されている。また、操縦ハンドル１６の左部の基端部付近にも、第２スロットルレバー５０２が支持されている。第１スロットルレバー５０１から延びるスロットルケーブル５０３は、第２スロットルレバー５０２を介してエンジン１１まで延びている。したがって、１本のスロットルケーブル５０３に２つのスロットルレバー５０１，５０２が連結されている。したがって、一方のスロットルレバー５０１（５０２）を操作すると、他方のスロットルレバー５０２（５０１）も連動して回転すると共に、スロットルケーブル５０３が移動してエンジン１１の回転数が制御される。
【００７１】
したがって、苗を苗箱３１６から苗供給部３１に移動させる作業を行う際に、作業者が苗移植機１０の右側に回り込んだり、左側に回り込んだりすることがある。従来構成では、通常、右側にのみスロットルレバーが設けられており、左側に回り込んで苗の移動作業をする際には、走行中の苗移植機１０を減速、停止させたり、加速しようとしても、スロットルレバーまで手が届かず、減速や停止等が遅れる場合がある。減速や停止等が遅れると、苗の供給が間に合わなかったり、苗の間隔が想定と違ってしまったり、畝Ｕからずれたり、機体が転倒したり等の問題が発生する恐れがある。これらに対して、本実施形態では、スロットルレバー５０１，５０２が、機体の左右の両方に設けられている。したがって、作業者が機体の右側または左側のどちらで作業中であっても、加減速あるいは停止の操作を容易に行うことが可能である。よって、事故等の発生も抑制される。
【００７２】
また、本実施形態では１本のスロットルケーブル５０３でエンジン１１を制御しており、２本以上のスロットルケーブル５０３を使用する場合に比べて、構成が簡素化されている。よって、製造費用も削減できる。
なお、各スロットルレバー５０１，５０２のそれぞれにスロットルケーブルを連結して、エンジン１１を操作する構成とすることも可能である。また、例えば、筒状のアウターケーブルを第２スロットルレバー５０２に連結し、アウターケーブルの中心を貫通するインナーケーブルを第１スロットルレバー５０１に連結するような形態とすることも可能である。
【符号の説明】
【００７３】
１０…移植機、
１４…走行部材、
２８…植付け具、
３０…苗載せ台、
３１…苗供給装置、
３０１…主苗載せ台、
３０２…副苗載せ台、
３１３，３２３，３２７，４１４，４１６，４１７，４２３…落下防止体、
３１６…苗箱、
Ｃ１…走行車体の左右方向の中心部、
Ｃ２…苗供給装置の左右方向の中心部を通過する仮想直線。
【図１】
2019071796.tif 000003
【図２】
2019071796.tif 000004
【図３】
2019071796.tif 000005
【図４】
2019071796.tif 000006
【図５】
2019071796.tif 000007
【図６】
2019071796.tif 000008
【図７】
2019071796.tif 000009
【図８】
2019071796.tif 000010
【図９】
2019071796.tif 000011
【図１０】
2019071796.tif 000012
【図１１】
2019071796.tif 000013